(57)【要約】      （修正有）【課題】舗装作業の工数や部品数を削減し、舗装作業の簡素化やコストダウンを図ると共に、作業効率の向上を図る。【解決手段】ハニカム状に連続する隔壁により多数の枡目が形成された舗装用マットを地面に固定するための舗装用マット固定具１０であって、前記枡目を貫通して前記地面に打ち込まれるアンカー部１５と、アンカー部１５により所定位置に固定されて前記隔壁を挟持すると共に前記舗装用マットの浮き上がりを規制するマット支持部１６と、を備えている。【選択図】図３
2012158927.tif 000002
【特許請求の範囲】
【請求項１】
ハニカム状に連続する隔壁により多数の枡目が形成された舗装用マットを地面に固定するための舗装用マット固定具であって、
前記枡目を貫通して前記地面に打ち込まれるアンカー部と、
該アンカー部により所定位置に固定されて前記隔壁を挟持すると共に前記舗装用マットの浮き上がりを規制するマット支持部と、
を備えていることを特徴とする舗装用マット固定具。
【請求項２】
前記マット支持部は、
前記アンカー部と一体に形成され、前記隔壁の上端に掛止可能な浮き上がり規制部を有する一体形成片と、
該一体形成片との間に前記隔壁が挿入可能な隙間を有するように前記一体形成片に対向する位置に設けられ、上端が前記一体形成片から離間する方向に曲成される弾性片と、
を備えていることを特徴とする請求項１に記載の舗装用マット固定具。
【請求項３】
前記一体形成片には前記弾性片が着脱可能な係止部が高さ方向に複数設けられており、前記各係止部は、該各係止部から前記浮き上がり規制部までの高さが前記隔壁の高さに対応するように設けられていることを特徴とする請求項２に記載の舗装用マット固定具。
【請求項４】
前記マット支持部は、
前記地面に載置され、前記アンカー部が前記地面に打ち込まれる際に挿通する通孔を有する台座部と、
該台座部に立設され、前記隔壁の上端に掛止可能な浮き上がり規制部を有し、前記台座部から前記浮き上がり規制部までの高さが前記隔壁の高さに対応するように設けられる立設片と、
該立設片との間に前記隔壁が挿入可能な隙間を有するように前記立設片に対向する位置に設けられ、上端が前記立設片から離間する方向に曲成される弾性片と、
を備えていることを特徴とする請求項１に記載の舗装用マット固定具。
【請求項５】
請求項１〜４のいずれか１の請求項に記載の舗装用マット固定具を使用して舗装用マットを地面に固定して該地面を舗装する方法であって、
前記地面を整地して路盤を形成するステップと、
予め前記舗装用マット固定具の取り付け位置を印付けした防草シートを前記路盤上に敷設するステップと、
前記アンカー部を打ち込んで前記防草シートに印付けされた取り付け位置に前記舗装用マット固定具を取り付けると共に前記防草シートを前記路盤に固定するステップと、
前記マット支持部に前記隔壁を挟持させて前記防草シート上に前記舗装用マットを固定するステップと、
前記舗装用マットの各枡目に舗装材を充填して整地するステップと、
を備えていることを特徴とする舗装方法。
【発明の詳細な説明】
【技術分野】
【０００１】
本発明は、舗装用マットを地面に固定するための舗装用マット固定具、及び該舗装用マット固定具を使用して舗装用マットを地面に固定して該地面を舗装する方法に関するものである。
【背景技術】
【０００２】
従来、地面に砂利、砕石、土壌、砂などの舗装材を敷設する際、敷設後に舗装材が動いたりしないようにするため、舗装用マットが使用されることがある。
【０００３】
この種の舗装用マットは、ハニカム状に連続する隔壁により多数の枡目が形成されたものであり、地面にピンで固定された防草シートの上に敷設され、アンカーピン等の舗装用マット固定具を枡目に貫通させて地面に打ち込むことにより固定される。そして、このように固定された舗装用マットの枡目に舗装材が充填され、整地、転圧されることにより、地面の舗装作業が行われていた（例えば、特許文献１、２参照）。
【先行技術文献】
【特許文献】
【０００４】
【特許文献１】特開２０１０−５３５７６号公報
【特許文献２】特開平１０−１３１１９３号公報
【発明の概要】
【発明が解決しようとする課題】
【０００５】
しかしながら、上記した従来の舗装用マット固定具及び舗装方法では、地面にピンにより防草シートを固定した後、さらに、舗装用マット固定具により舗装用マットを地面に固定する必要があり、防草シートの固定具と舗装用マットの固定具をそれぞれ別個に用意する必要があった。そのため、舗装作業の工数が増えると共に部品数が増え、舗装作業の簡素化やコストダウンが図り難いといった問題があった。
【０００６】
また、従来の舗装用マット固定具及び舗装方法では、舗装作業中に舗装用マットが浮き上がるおそれがあり、その場合には舗装作業のやり直しが必要となり、作業効率の向上が図り難いといった問題もあった。
【０００７】
本発明は、上記した課題を解決すべくなされたものであり、舗装作業の工数や部品数を削減し、舗装作業の簡素化やコストダウンを図ると共に、作業効率の向上を図ることのできる舗装用マット固定具及び舗装方法を提供することを目的とするものである。
【課題を解決するための手段】
【０００８】
上記した目的を達成するため、本発明は、ハニカム状に連続する隔壁により多数の枡目が形成された舗装用マットを地面に固定するための舗装用マット固定具であって、前記枡目を貫通して前記地面に打ち込まれるアンカー部と、該アンカー部により所定位置に固定されて前記隔壁を挟持すると共に前記舗装用マットの浮き上がりを規制するマット支持部と、を備えていることを特徴とする。
【０００９】
そして、前記マット支持部は、前記アンカー部と一体に形成され、前記隔壁の上端に掛止可能な浮き上がり規制部を有する一体形成片と、該一体形成片との間に前記隔壁が挿入可能な隙間を有するように前記一体形成片に対向する位置に設けられ、上端が前記一体形成片から離間する方向に曲成される弾性片と、を備えていてもよい。
【００１０】
また、前記一体形成片には前記弾性片が着脱可能な係止部が高さ方向に複数設けられており、前記各係止部は、該各係止部から前記浮き上がり規制部までの高さが前記隔壁の高さに対応するように設けられていてもよい。
【００１１】
さらに、前記マット支持部は、前記地面に載置され、前記アンカー部が前記地面に打ち込まれる際に挿通する通孔を有する台座部と、該台座部に立設され、前記隔壁の上端に掛止可能な浮き上がり規制部を有し、前記台座部から前記浮き上がり規制部までの高さが前記隔壁の高さに対応するように設けられる立設片と、該立設片との間に前記隔壁が挿入可能な隙間を有するように前記立設片に対向する位置に設けられ、上端が前記立設片から離間する方向に曲成される弾性片と、を備えていてもよい。
【００１２】
また、本発明は、上記した舗装用マット固定具を使用して舗装用マットを地面に固定して該地面を舗装する方法であって、前記地面を整地して路盤を形成するステップと、予め前記舗装用マット固定具の取り付け位置を印付けした防草シートを前記路盤上に敷設するステップと、前記アンカー部を打ち込んで前記防草シートに印付けされた取り付け位置に前記舗装用マット固定具を取り付けると共に前記防草シートを前記路盤に固定するステップと、前記マット支持部に前記隔壁を挟持させて前記防草シート上に前記舗装用マットを固定するステップと、前記舗装用マットの各枡目に舗装材を充填して整地するステップと、を備えていることを特徴とする。
【発明の効果】
【００１３】
本発明によれば、舗装作業の工数や部品数を削減し、舗装作業の簡素化やコストダウンを図ると共に、作業効率の向上を図ることができる等、種々の優れた効果を得ることができる。
【図面の簡単な説明】
【００１４】
【図１】本発明の第１の実施の形態に係る舗装用マット固定具により舗装用マットを地面に固定した状態を示す平面図である。
【図２】図１のＡ−Ａ矢視図である。
【図３】本発明の第１の実施の形態に係る舗装用マット固定具を示す斜視図である。
【図４】本発明の第１の実施の形態に係る舗装用マット固定具を示す分解斜視図である。
【図５】本発明の第１の実施の形態に係る舗装用マット固定具を示す側面図である。
【図６】本発明の第２の実施の形態に係る舗装用マット固定具により舗装用マットを地面に固定した状態を示す平面図である。
【図７】図６のＢ−Ｂ矢視図である。
【図８】本発明の第２の実施の形態に係る舗装用マット固定具を示す斜視図である。
【発明を実施するための形態】
【００１５】
以下、図面を参照しつつ、本発明の実施の形態について説明する。
【００１６】
先ず、図１〜図５を参照しつつ、本発明の第１の実施の形態に係る舗装用マット固定具及び舗装方法について説明する。ここで、図１は本発明の第１の実施の形態に係る舗装用マット固定具により舗装用マットを地面に固定した状態を示す平面図、図２は図１のＡ−Ａ矢視図、図３は本発明の第１の実施の形態に係る舗装用マット固定具を示す斜視図、図４は本発明の第１の実施の形態に係る舗装用マット固定具を示す分解斜視図、図５は本発明の第１の実施の形態に係る舗装用マット固定具を示す側面図である。
【００１７】
本実施の形態に係る舗装用マット固定具１０は、図１及び図２に示すよう舗装用マット１１を地面１２に固定するために使用されるものである。この舗装用マット１１は、ハニカム状に連続する隔壁１３により多数の枡目１４が形成されて成るものであり、例えば、４層スパンボンド不織布を帯状にしたものを熱溶着でセル構造にしたデュポン社製のグランドグリッド（登録商標）が使用される。このグランドグリッドは、平面的に縮小された形態で搬送された後、現場で敷設時に拡張されて使用される。グランドグリッドの拡張時のサイズは、幅１２５０ｍｍ×長さ８ｍで、高さは５０ｍｍと１００ｍｍの２種類のものがあり、その時の枡目１４のサイズは、それぞれ、５５ｍｍと１１０ｍｍの２種類のものが製品化されている。
【００１８】
舗装用マット固定具１０は、枡目１４を貫通して地面１２に打ち込まれるアンカー部１５と、このアンカー部１５により所定位置に固定されて隔壁１３を挟持すると共に舗装用マット１１の浮き上がりを規制するマット支持部１６と、を備えて構成されている。
【００１９】
アンカー部１５は、鋼鉄製で上下に長い片形状を有し、下端は鋭利な先細り形状を成している。
【００２０】
マット支持部１６は、アンカー部１５の上方においてアンカー部１５と一体に形成された一体形成片１７と、一体形成片１７に対向する位置に着脱自在に設けられる弾性片１８と、を備えて構成されている。
【００２１】
一体形成片１７の上端は隔壁１３の上端に掛止可能なように下方に折り返されて浮き上がり規制部１９を形成している。また、一体形成片１７の側面には、高さ方向の異なる位置に２個の係止孔２０，２１が穿設されており、各係止孔２０，２１は、それぞれ、矩形孔２０ａ，２１ａの上方に縦長のスリット孔２０ｂ，２１ｂが連続して形成された形状を有している。そして、各係止孔２０，２１の位置は、該各係止部２０，２１から浮き上がり規制部１９までの高さが前記グランドグリッドの隔壁１３の２種類の高さ（５０ｍｍと１００ｍｍ）に対応するように設定されている。
【００２２】
弾性片１８は、水平に形成された基板部２２上に立設され、上端は一体形成片１７から離間する方向に曲成され、浮き上がり規制部１９から離間している。また、基板部２２の一体形成片１７側の先端部２３には、係止孔２０，２１のいずれかに係止可能な矩形の突起片２４が設けられ、先端部２３と突起片２４との間には括れ部２５が形成されている。突起片２４は一体形成片１７の矩形孔２０ａ，２１ａを挿通可能な形状を有し、括れ部２５は一体平成片１７のスリット孔２０ｂ，２１ｂに嵌合可能な形状を有しており、突起片２４を矩形孔２０ａ，２１ａに挿通させて上方にスライドさせると、括れ部２５がスリット孔２０ｂ，２１ｂに嵌合し、一体形成片１７との間に隔壁１３が挿入可能な隙間２６を確保した状態で弾性片１８が一体形成片１７に対向する位置に保持されるようになっている。このように一体形成片１７に対して弾性片１８を着脱自在に設けることにより、使用する舗装用マットの１１の高さに合わせて弾性片１８の取り付け位置を自由に変えることができる。
【００２３】
次に、上記した構成を備えた舗装用マット固定具１０を使用して舗装用マット１１を地面１２に固定して地面１２を舗装する方法について説明する。
【００２４】
先ず、舗装用マット１１を設置する地面１２を掘削し、平らに整地して路盤を形成する。路盤が完成したら、隣接する防草シート２７との間に重ね代を１０ｃｍ程度設けながら、防草シート２７をその路盤上に敷設する。この時に使用する防草シート２７は、例えば、４層スパンボンド不織布製で、その上に載置される砕石２８の沈下防止機能と雑草抑制機能を有するものであり、表面には予め舗装用マット固定具１０の取り付け位置が印付けされている。
【００２５】
このように防草シート２７の敷設が完了したら、この防草シート２７の上から地面１２に対して舗装用マット固定具１０のアンカー部１５を打ち込み、防草シート２７に印付けされた取り付け位置に舗装用マット固定具１０を取り付け、防草シート２７を前記路盤に固定する。
【００２６】
次いで、舗装用マット１１を拡張させ、隔壁１３をマット支持部１６の上方から一体形成片１７と弾性片１８の間の隙間２６に挿入する。これにより、舗装用マット１１は一体形成片１７と弾性片１８とにより挟持されると共に浮き上がり規制部１９により浮き上がりが規制され、防草シート２７上の所定位置に固定される。
【００２７】
この時、弾性片１８の上端は一体形成片１７から離間する方向に曲成され、浮き上がり規制部１９から離間しているため、隙間２６に対する隔壁１３の挿入作業を円滑且つ確実に行うことができる。また、一体形成片１７の上端に浮き上がり規制部１９が形成されているため、舗装作業中に、一旦隙間２６に挿入された隔壁１３が隙間２６から飛び出し、舗装用マット１１が浮き上がったりすることがなく、効率よく作業を行うことができる。
【００２８】
このように舗装用マット１１の固定作業が完了したら、各枡目１４に砕石２８を充填し、整地し、転圧し、必要に応じて、その上に化粧砂利を３ｃｍ程度の高さで敷設する。なお、この時に使用する砕石２８は、舗装用マット１１の枡目１４のサイズが５５ｍｍの場合には、６号砂利（外径５〜１３ｍｍ）を使用し、枡目１４のサイズが１１０ｍｍの場合には、６号砂利（外径５〜１３ｍｍ）又は４号砂利（外径２０〜３０ｍｍ）を使用するのが好ましい。
【００２９】
上記したように本実施の形態に係る舗装用マット固定具１０及びこの舗装用マット固定具１０を使用する舗装方法によれば、舗装用マット固定具１０により、防草シート２７と舗装用マット１１の両方を一度に固定することができるため、舗装作業の工数を削減することができると共に、部品数の削減を図ることができ、舗装作業の簡素化やコストダウンを図ることができる。
【００３０】
なお、上記した、本発明の第１の実施の形態では、２種類の高さの舗装用マット１１に対応するため、一体形成片１７に２個の係止孔２０，２１を設けているが、係止孔の設置数は１個又は３個以上の複数個であってもよく、また、係止突起部等、係止孔以外の形状の係止部を設け、この係止部に着脱可能な孔等の被係止部を弾性片１８側に設けてもよい。
【００３１】
また、舗装用マット１１の枡目１４に充填する舗装材としては、上記した砕石２８に限定する趣旨ではなく、土壌、砂、ウッドチップ等、他の舗装材であってもよい。
【００３２】
次に、図６〜図８を参照しつつ、本発明の第２の実施の形態に係る舗装用マット固定具について説明する。ここで、図６は本発明の第２の実施の形態に係る舗装用マット固定具により舗装用マットを地面に固定した状態を示す平面図、図７は図６のＢ−Ｂ矢視図、図８は本発明の第２の実施の形態に係る舗装用マット固定具を示す斜視図である。なお、以下の説明では、上記した第１の実施の形態の場合と同様の構成については同一の符号を付し、その詳細な説明は省略する。また、本実施の形態に係る舗装方法は、上記した本発明の第１の実施の形態に係る舗装方法と同様であるため、その詳細な説明は省略する。
【００３３】
本実施の形態に係る舗装用マット固定具３０は、枡目１４を貫通して地面１２に打ち込まれるアンカー部３１と、このアンカー部３１により所定位置に固定されて隔壁１３を挟持すると共に舗装用マット１１の浮き上がりを規制するマット支持部３２と、を備えて構成されている。
【００３４】
アンカー部３１は、鋼鉄製で上下に細長い棒形状を有し、上端は略直角に屈曲して抜け止め部３３を形成し、下端は鋭利な先細り形状を成している。
【００３５】
マット支持部３２は、地面１２に載置可能な台座部３４と、台座部３４上に立設される立設片３５と、立設片３５に対向する位置で台座部３４上に立設される弾性片３６と、を備えて構成されている。
【００３６】
台座部３４は、平板形状を有し、中央より一端側にアンカー部３１が挿通可能な円形の通孔３７が形成されている。
【００３７】
立設片３５は、台座部３４の中央より他端側に立設され、その上端には舗装用マット１１の隔壁１３の上端に掛止可能な浮き上がり規制部３８が形成されている。そして、台座部３４から浮き上がり規制部３８までの高さは、舗装用マット１１の隔壁１３の高さに対応するように設定され、例えば、前記グランドグリッドの隔壁１３の２種類の高さ（５０ｍｍと１００ｍｍ）に対応するように２種類の舗装用マット固定具３０が用意されている。
【００３８】
弾性片３６は、立設片３５との間に隔壁１３が挿入可能な隙間３９を有するように台座部３４の略中央に設けられ、弾性片３６の上端は立設片３５から離間する方向に曲成され、浮き上がり規制部３８から離間している。
【００３９】
このような構成を備えた舗装用マット固定部３０を使用して舗装用マット１１を地面１２に敷設された防草シート２７上に固定する場合、台座部３４の通孔３７にアンカー部３１を挿通させて地面１２に打ち込んでマット支持部３１を所定位置に固定した上で、隔壁１３をマット支持部３２の上方から立設片３５と弾性片３６の間の隙間３９に挿入する。これにより、舗装用マット１１は立設片３５と弾性片３６とにより挟持されると共に浮き上がり規制部３８により浮き上がりが規制され、防草シート２７上の所定位置に固定される。
【００４０】
この時、弾性片３６の上端は立設片３５から離間する方向に曲成され、浮き上がり規制部３８から離間しているため、隙間３９に対する隔壁１３の挿入作業を円滑且つ確実に行うことができる。また、立設片３５の上端に浮き上がり規制部３８が形成されているため、舗装作業中に、一旦隙間３９に挿入された隔壁１３が隙間３９から飛び出し、舗装用マット１１が浮き上がったりすることがなく、効率よく作業を行うことができる。
【００４１】
上記したように本実施の形態に係る舗装用マット固定具３０及びこの舗装用マット固定具３０を使用する舗装方法によれば、舗装用マット固定具３０により、防草シート２７と舗装用マット１１の両方を一度に固定することができるため、舗装作業の工数を削減することができると共に、部品数の削減を図ることができ、舗装作業の簡素化やコストダウンを図ることができる。
【００４２】
なお、上記した本発明の各実施の形態の説明は、本発明に係る舗装用マット固定具及び舗装方法における好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００４３】
１０          舗装用マット固定具
１１          舗装用マット
１２          地面
１３          隔壁
１４          枡目
１５          アンカー部
１６          マット支持部
１７          一体形成片
１８          弾性片
１９          浮き上がり規制部
２０，２１    係止孔（係止部）
２６          隙間
２７          防草シート
２８          砕石（舗装材）
３０          舗装用マット固定具
３１          アンカー部
３２          マット支持部
３４          台座部
３５          立設片
３６          弾性片
３７          通孔
３８          浮き上がり規制部
３９          隙間
【図１】
2012158927.tif 000003
【図２】
2012158927.tif 000004
【図３】
2012158927.tif 000005
【図４】
2012158927.tif 000006
【図５】
2012158927.tif 000007
【図６】
2012158927.tif 000008
【図７】
2012158927.tif 000009
【図８】
2012158927.tif 000010